(57)【要約】【課題】汎用コンバインにおいて、刈取部側を逆転駆動させることによって、該刈取部内の作物等の詰りを解消することができる汎用コンバインを提供することを課題としている。【解決手段】走行機体と、該走行機体の前部に昇降可能に連結された刈取部とを備え、前記走行機体の前部には、エンジンからの動力が伝動される刈取伝動軸が設けられ、前記刈取部は、前記刈取伝動軸に対して上下に並列され且つ該刈取部に動力を入力する刈取入力軸と、前記刈取伝動軸から前記刈取入力軸に動力を伝動する正逆転切換装置とを有し、前記正逆転切換装置は、前記刈取伝動軸から刈取入力軸への伝動経路において前記刈取入力軸に正転動力を伝動する正転状態と、逆転動力を伝動する逆転状態との切換を行うように構成され、前記正逆転切換装置は、前記刈取伝動軸の端部側における前記走行機体の側部側に配置された。【選択図】図４
2020092610.tif 000002
【特許請求の範囲】
【請求項１】
走行機体と、
該走行機体の前部に昇降可能に連結され且つ正転駆動時に圃場の作物を刈取って後方に搬送する刈取部とを備え、
前記走行機体の前部には、エンジンからの動力が伝動される左右方向の刈取伝動軸が設けられ、
前記刈取部は、前記刈取伝動軸に対して上下に並列され且つ該刈取部に動力を入力する刈取入力軸と、前記刈取伝動軸から前記刈取入力軸に動力を伝動する正逆転切換装置とを有し、
前記正逆転切換装置は、前記刈取伝動軸から刈取入力軸への伝動経路において前記刈取入力軸に正転動力を伝動する正転状態と、逆転動力を伝動する逆転状態との切換を行うように構成され、
前記正逆転切換装置は、前記刈取伝動軸の端部側における前記走行機体の側部側に配置された
汎用コンバイン。
【請求項２】
前記正逆転切換装置は、前記刈取入力軸に逆転動力を出力する出力軸と、該出力軸から前記刈取入力軸に動力を伝動するベルト又はチェーンとを有し、
前記刈取伝動軸と、前記出力軸とを前後方向に並べて配置した
請求項１に記載の汎用コンバイン。
【請求項３】
前記刈取部は、刈取った作物を後方搬送するフィーダを有し、
前記正逆転切換装置は、前記刈取入力軸に伝動する動力の正逆転方向を切換える操作レバーを有し、
該操作レバーと前記正逆転切換装置とを、前記フィーダの左右反対側に振分けて配置した
請求項１又は２の何れかに記載の汎用コンバイン。
【発明の詳細な説明】
【技術分野】
【０００１】
本発明は、刈取部が逆転駆動可能に構成された汎用コンバインに関する。
【背景技術】
【０００２】
走行機体と、該走行機体の前部に昇降可能に連結され且つ正転駆動時に圃場の作物を刈取って後方に搬送する刈取部と、該刈取部から後方搬送された作物を脱穀作業する脱穀装置とを備え、該脱穀装置内の扱胴を手動によって逆転駆動させることができるように構成することによって、脱穀装置内における作物等の詰まりをスムーズに解消できる特許文献１に記載の汎用コンバインが従来公知である。
【０００３】
該構成によれば、前記脱穀装置内が大量に投入された作物によって詰まった場合であっても、脱穀装置内の扱胴を手動で逆転駆動させることによって、該脱穀装置内の詰りを解消するための清掃やメンテナンスを効率的に行うことができるものである。
【０００４】
しかし、該構成の汎用コンバインは脱穀装置内で作物等が詰まることによる作動不良をスムーズ且つ容易に解消することができるものであるが、圃場の作物等の刈取作業を行うとともに該作物等を走行機体側に向けて後方搬送する前記刈取部のメンテナンス作業に手間が掛かる場合があるという課題があった。
【先行技術文献】
【特許文献】
【０００５】
【特許文献１】特開２０１１−２５０７４１号公報
【発明の概要】
【発明が解決しようとする課題】
【０００６】
本発明は、圃場の作物等の刈取作業と脱穀作業とを行うことができる汎用コンバインにおいて、前記刈取部側を逆転駆動させることによって、該刈取部内の作物等の詰りを解消することができる汎用コンバインを提供することを課題としている。
【課題を解決するための手段】
【０００７】
上記課題を解決するため、本発明は、第１に、走行機体と、該走行機体の前部に昇降可能に連結され且つ正転駆動時に圃場の作物を刈取って後方に搬送する刈取部とを備え、前記走行機体の前部には、エンジンからの動力が伝動される左右方向の刈取伝動軸が設けられ、前記刈取部は、前記刈取伝動軸に対して上下に並列され且つ該刈取部に動力を入力する刈取入力軸と、前記刈取伝動軸から前記刈取入力軸に動力を伝動する正逆転切換装置とを有し、前記正逆転切換装置は、前記刈取伝動軸から刈取入力軸への伝動経路において前記刈取入力軸に正転動力を伝動する正転状態と、逆転動力を伝動する逆転状態との切換を行うように構成され、前記正逆転切換装置は、前記刈取伝動軸の端部側における前記走行機体の側部側に配置されたことを特徴としている。
【０００８】
第２に、前記正逆転切換装置は、前記刈取入力軸に逆転動力を出力する出力軸と、該出力軸から前記刈取入力軸に動力を伝動するベルト又はチェーンとを有し、前記刈取伝動軸と、前記出力軸とを前後方向に並べて配置したことを特徴としている。
【０００９】
第３に、前記刈取部は、刈取った作物を後方搬送するフィーダを有し、前記正逆転切換装置は、前記刈取入力軸に伝動する動力の正逆転方向を切換える操作レバーを有し、該操作レバーと前記正逆転切換装置とを、前記フィーダの左右反対側に振分けて配置したことを特徴としている。
【発明の効果】
【００１０】
前記正逆転切換装置によれば、前記刈取部を逆転駆動可能に構成することによって、該刈取部内の清掃やメンテナンス作業をスムーズに行うことができるとともに、該正逆転切換装置を、より簡易且つ組立容易な構成で、走行機体の側方側にコンパクトに設けることができる。
【００１１】
また、前記正逆転切換装置は、前記刈取入力軸に逆転動力を出力する出力軸と、該出力軸から前記刈取入力軸に動力を伝動するベルト又はチェーンとを有し、前記刈取伝動軸と、前記出力軸とを前後方向に並べて配置したものによれば、前記正逆転切換装置を前記刈取伝動軸の側方側でよりコンパクトに構成することができる。
【００１２】
なお、前記正逆転切換装置は、前記刈取入力軸に伝動する動力の正逆転方向を切換える操作レバーを有し、該操作レバーと前記正逆転切換装置とを、前記フィーダを挟むようにして左右反対側に振分けて配置したものによれば、前記操作レバーによる前記刈取部の逆転駆動させる切換操作をスムーズに行うことができるとともに、前記正逆転切換装置回りのメンテナンス性も良好に保たれる。
【図面の簡単な説明】
【００１３】
【図１】本発明を適用した汎用コンバインの側面図である。
【図２】本発明を適用した汎用コンバインの平面図である。
【図３】本汎用コンバインの動力系統図である。
【図４】脱穀装置の要部正面図である。
【図５】脱穀装置の要部側面図である。
【図６】正逆転切換装置を示した斜視図である。
【図７】（Ａ）及び（Ｂ）は、正逆転切換装置を示した左側面図及び、正逆転切換装置を示したＡ−Ａ断面図である。
【発明を実施するための形態】
【００１４】
図１及び図２は、本発明を適用した汎用コンバインの側面図及び平面図である。図より、本汎用コンバインは、走行部である左右一対のクローラ式走行装置１，１に支持される走行機体２と、該走行機体２の前方に昇降可能に連結されて圃場の穀稈の刈取作業を行う刈取部３とを備えている。
【００１５】
前記走行機体２は、前記刈取部３の真後ろ側近傍における右寄り位置にオペレータが乗込んで操向操作を行う操縦部が形成されたキャビン４が設けられ、該キャビン４の後方斜め左側に前記刈取部３で刈取られた穀稈の脱穀作業等を行う脱穀装置６が設置され、該キャビン４の後方且つ脱穀装置６の右側に前記脱穀装置６で脱穀された処理物である穀粒を収容するグレンタンク７が配置され、該脱穀装置６の後方に脱穀後の藁屑等を排出する排出部５が設けられている。
【００１６】
前記刈取部３は、刈取った穀稈を脱穀装置６側に搬送するフィーダ８と、該フィーダ８の前端側に連結されて前方側に延設される刈取フレーム９と、該刈取フレーム９の前端側に設けた左右一対のデバイダ１１と、該刈取フレーム９の後端部の上方側から前方に向かって延出された左右一対の支持アーム１２，１２と、該左右の支持アーム１２の延出端の間に回転自在に架設支持された掻込リール１３とを備えている。
【００１７】
左右一方側の支持アーム１２と、刈取フレーム９との間には、伸縮によって前記掻込リール１３を刈取部３の本体に対して昇降させるリールシリンダ１４が設置され、左右他方側の支持アーム１２には、掻込リール１３側に動力を伝動する伝動ケース１６が設けられている。すなわち、前記掻込リール１３は、前記刈取部３の本体に対して昇降作動されるとともに、前記伝動ケース１６から伝動される動力によって自身の軸回りに回転駆動されるように構成されている。
【００１８】
該構成によれば、前記刈取部３は、圃場の穀稈を前記左右のデバイダ１１，１１によって内側の刈取側と、外側の非刈取側とに分草し、該刈取側の植立穀稈は、前記掻込リール１３によって刈取部側に掻込みながらデバイダ１１の後方に備えたレシプロ式の刈刃１７によって穀稈の根元側が刈取られる。これにより刈取られた穀稈は、前記刈取フレーム９側の搬送オーガ１８により前記フィーダ８の前端側へ送られ、該フィーダ８に搬送された穀稈がフィーダ８の内部に備えた搬送コンベヤ１９によって後方側に搬送される。フィーダ８の後端側へ搬送された刈取穀稈は前記脱穀装置６の上部前端側へと送られる。
【００１９】
また、前記刈取部３は、前記フィーダ８の後端側に設けられた正逆転切換装置２０によって、上述の刈取作業を行う正転駆動と、前記刈取部３に穀稈等が詰まった状態を解消するために正転駆動と反対方向に駆動させる逆転駆動とを切換えることができるように構成されている。該正逆転切換装置２０の具体的な構成については後述する。
【００２０】
前記脱穀装置６は、該脱穀装置６の上部側であって前記フィーダ８から搬送される刈取穀稈の脱穀作業を行う脱穀部と、該脱穀装置６の下部側であって前記脱穀部により脱穀された脱穀物（処理物）を穀粒と藁屑等の排塵物とに選別する選別部とから構成されている。
【００２１】
上記脱穀部は、前記フィーダ８の後端側から刈取穀稈が投入される扱室と、該扱室の前後方向全体に亘って形成された前後方向の扱胴回転軸回りに回転駆動自在に設けられて、前端側が漏斗型となる円筒状の扱胴１５と、該扱胴の下方に配置された受網２５とを備えている。
【００２２】
上記選別部は、前記受網２５を通過した脱穀物を揺動選別する揺動選別体と、選別風を送風する唐箕ファン２１と、選別後の排塵物を機外へ排出する二番選別ファン等を備えている。
【００２３】
該構成によれば、揺動選別体から漏下した前記処理物は、唐箕ファン２１による選別風によって、選別された１番物である穀粒と、２番物とに選別され、選別された穀粒は、揚穀ラセン（図示しない）によって穀粒を貯蔵するグレンタンク７内に搬送される。該グレンタンク７内に貯蔵された穀粒は、走行機体の上面後方側に支持されたオーガ２２を介して、機外に排出することができる。
【００２４】
次に、図３に基づき、本汎用コンバインの伝動構成について説明する。図３は、本汎用コンバインの動力系統図である。図示されるように、エンジン１０で発生させた回転動力は、出力軸に出力され、該出力軸２６には、作業プーリ２７が一体回転するように設けられている。
【００２５】
前記作業プーリ２７に伝動された動力は、作業伝動軸２８にベルト伝動され、該作業伝動軸２８に伝動された動力によって、前記刈取部３及び前記脱穀装置６が駆動される。以下、具体的に説明する。前記作業プーリ２７と、前記作業伝動軸２８と一体回転する作業伝動プーリ２９とに掛け回される作業伝動ベルト３１には、該作業伝動ベルト３１のテンションを調整するテンションクラッチ３２が設けられており、エンジン１０から出力された動力は、前記２６出力軸から作業伝動軸２８側へと断続可能な構成で伝動される。
【００２６】
前記作業伝動軸２８は、前記脱穀装置６内の枠体の左右幅に亘って延設されており、該枠体側に軸回転可能に支持されている。また、該作業伝動軸２８には、第２作業プーリ３３と、選別プーリ３４とが一体回転するように設けられている。これにより、前記作業伝動軸２８に伝動された動力は、第２作業プーリ３３と、第２作業伝動プーリ３６とで掛け回される第２作業伝動ベルト３７を介して、該第２作業伝動プーリ３６と一体回転する刈取伝動軸３８へ伝動される。
【００２７】
なお、該第２作業伝動ベルト３７には、作業伝動ベルト３１と同様のテンションクラッチ３０が設けられている。これにより、前記作業伝動軸２８に伝動された動力によって、前記刈取部３及び前記脱穀装置６を駆動させる他、前記脱穀装置６のみを駆動させることもできる。
【００２８】
前記刈取伝動軸３８は、前記脱穀装置６の枠体の前端側で、該枠体の左右幅に亘って延設されており、該刈取伝動軸３８は、側面視で前記フィーダ８の下方側に配置されている（図５等参照）。
【００２９】
該刈取伝動軸３８に伝動された動力は、前記正逆転切換装置２０を介して、前記刈取部３側に動力を伝動する刈取入力軸４１に伝動される。これにより、前記刈取部３は、前記刈取伝動軸３８に設けた前記正逆転切換装置２０によって、圃場の作物の刈取作業を行う正転駆動とは反対方向に駆動する逆転駆動状態に切換えることができるように構成されている。該正逆転切換装置２０の具体的な構成については後述する。
【００３０】
以上より、前記エンジンから脱穀装置６側の前記作業伝動軸２８に伝動された動力は、脱穀装置６内側から前記刈取伝動軸３８に伝動され、該刈取伝動軸３８を介して機体内側から前記フィーダ８の下方を通って機体外側の前記正逆転切換装置２０側に伝動され、該正逆転切換装置２０を介して前記刈取部３側に動力を入力する前記刈取刈取入力軸４１に伝動される。
【００３１】
前記刈取入力軸４１に伝動された動力により、前記刈取部３、具体的には、前記フィーダ８内の搬送コンベア１９や、前記掻込オーガ１８や、前記刈刃１７や、掻込リール１３を正逆転駆動させることができる（図３参照）。このとき、該刈取部３は、ワンウェイクラッチを介すことによって刈取部３の一部、具体的には、前記搬送コンベア１９と掻込オーガ１８のみを逆転駆動させることもできる。
【００３２】
これにより、前記掻込オーガ１８や、前記フィーダ８内に刈取った作物や雑草類等が詰まった場合であっても、前記刈取部３の全体やその一部を逆転駆動させることによって、刈取部３の清掃やメンテナンス作業をよりスムーズに行うことができる。
【００３３】
次に、図３乃至７に基づいて、正逆転切換装置の具体的な構成について説明する。図４及び図５は、脱穀装置の要部正面図及び要部側面図であり、図６は、正逆転切換装置を示した斜視図であり、図７（Ａ）及び（Ｂ）は、正逆転切換装置を示した左側面図及び、正逆転切換装置を示したＡ−Ａ断面図である。
【００３４】
前記正逆転切換装置２０は、前記刈取伝動軸３８の端部側にボス部材４０を介して同一軸芯上で一体回転するように連結される入力軸４２と、該入力軸４２の前方側に配置された出力軸４３と、該出力軸４３に伝動された動力を上方の前記刈取入力軸４１に伝動する上下方向の伝動チェーン４４と、前記入力軸４２及び出力軸４３を覆うとともに走行機体（脱穀装置）側に支持するための取付ブラケット４８と、前記出力軸４３に伝動される動力の正転・逆転を切換えるクラッチ切換機構４６と、該クラッチ切換機構４６による動力の正逆転切換を操作可能に構成するクラッチ操作機構４７と、該クラッチ切換機構４６をカバーするケース体６０とを備え、該正逆転切換装置２０全体の左右外側が着脱可能なカバー体４９によって覆われている（図７等参照）。なお、該正逆転切換装置２０は、前記入力軸４２に代えて刈取伝動軸３８に直接装着されるボス部材を設けた構成にしても良い。
【００３５】
前記クラッチ切換機構４６は、前記入力軸４２と一体回転する逆転入力ギヤ５１と、該逆転入力ギヤ５１と噛合うように前記出力軸４３に設けられた逆転出力ギヤ５２と、前記入力軸４２側の入力側スプロケット５３と前記出力軸４３側の出力側スプロケット５４によって掛け回される正転伝動チェーン５６と、前記逆転出力ギヤ５２及び前記出力側スプロケット５４間をスライド可能となるように前記出力軸４３に軸装されたスリーブ状の伝動切換部材５０と、該伝動切換部材５０を操作するクラッチ操作部５７とを有している。
【００３６】
上記逆転出力ギヤ５２と、上記出力側スプロケット５４とは、それぞれ前記出力軸４３に遊転可能に軸支されている。また、該逆転出力ギヤ５２には、前記伝動切換部材５０側に形成された係止部と係合可能な逆転側係止爪６１が形成され、該出力側スプロケット５４には、前記伝動切換部材５０側に形成された係止部と係合可能な正転側係止爪６２が形成されている（図３参照）。
【００３７】
上記伝動切換部材５０は、前記出力軸４３上をスライド自在に構成されるとともに、該出力軸４３とスプライン結合されることにより、該出力軸４３と一体回転するように構成されている。また、該伝動切換部材５０は、スライド方向にそれぞれ係止爪が形成されており、前記出力側スプロケット５４（正転伝動チェーン５６）側と、逆転入力ギヤ５２側の何れか一方に択一的に係合されるように構成されている。
【００３８】
上記クラッチ操作部５７は、前記クラッチ操作機構４７を介して、前記出力軸４３に沿ってスライド操作可能に設けられており、該クラッチ操作部５７のスライド操作に応じて、前記伝動切換部材５０の位置を操作できるように構成されている。すなわち、該クラッチ操作部５７によって、前記伝動切換部材５０が係合される部材（出力側スプロケット５４又は前記逆転入力ギヤ５２）を切換えることができる。
【００３９】
該構成によれば、前記出力軸４３（正逆転切換装置２０）は、前記伝動切換部材５０（クラッチ操作部５７）が前記出力側スプロケット５４側にスライドし、該出力側スプロケット５４と一体回転する状態に切換えられると、該出力軸４３は、前記入力軸４２に伝動された動力と同じ方向に駆動する正転駆動状態となる。その一方で、前記出力軸４３は、前記伝動切換部材５０（クラッチ操作部５７）が前記逆転出力ギヤ５２側にスライドし、該逆転出力ギヤ５２と一体回転する状態に切換えられると、該出力軸は４３、前記入力軸４２に伝動された動力と反対方向に駆動する逆転駆動状態となる。
【００４０】
前記クラッチ操作機構４７は、前記取付ブラケット４８の前部側に軸支された前後方向の揺動軸６６と、該揺動軸６６を軸として揺動可能に支持された揺動アーム６７と、該揺動アーム６７の一方側に取付けられた引張スプリング（弾性部材）６８と、該揺動アーム６７の他方側に取付けられたワイヤ６９と、該ワイヤ６９と連係可能に設けられた切換レバー７１とを備えている（図６（Ａ）及び（Ｂ）参照）。
【００４１】
上記揺動軸６６は、前記取付ブラケット４８の前方側から該取付ブラケット４８内の前記出力軸４３下側まで延設され、該揺動軸６６の軸回転に応じて前記クラッチ操作部５７と当接する当接部（図示しない）等が設けられている。これにより、該揺動軸６６は、前記揺動アーム６７を介して、該揺動軸６６を軸回転させることによって、前記クラッチ操作部５７を前記出力軸４３に沿って左右方向にスライド移動させることができるように構成されている。
【００４２】
上記揺動アーム６７は、前記揺動軸６６の左右一方（図示する例では左）側に前記引張スプリング６８が係止されることによって、正面視で反時計回りに回動するように付勢されている。これにより、該揺動アーム６７は、前記クラッチ操作部５７を前記出力側スプロケット５４（左右内）側にスライドさせて、該クラッチ操作部５７が出力側スプロケット５４と一体回転するように係合した状態（正転駆動状態）を保持するように構成されている。
【００４３】
また、該揺動アーム６７は、前記切換レバー７１の前後揺動操作によって前記ワイヤ６９を前記引張スプリング６８の付勢力に抗して引っ張ることにより、正面視で時計回り側に回動作動させることができるように構成されている。これにより、該揺動アーム６７は、前記クラッチ操作部５７を前記逆転出力ギヤ５２（左右外）側にスライドさせることにより、該クラッチ操作部５７が逆転出力ギヤ５２側と一体回転するように係合した状態（逆転駆動状態）に切換えることができる。
【００４４】
上記切換レバー７１は、前記フィーダ８の下側を通した前記ワイヤ６９を介して前記クラッチ切換機構４６側に連結されることにより、前記フィーダ８の左右内側に取付けられている。言い換えると、該切換レバー７１は、前記クラッチ切換機構４６で前記フィーダ８を左右で挟む位置に設けられている。
【００４５】
該構成により、前記クラッチ操作機構４７（切換レバー７１等）は、走行機体（脱穀装置６）側に支持されているため、該クラッチ操作機構４７を取外すことなく、前記フィーダ８を脱穀装置６側から着脱してメンテナンス作業を行うことができる。
【００４６】
前記取付ブラケット４８は、前記正逆転切換装置２０を、前記脱穀装置６の前端側で上下方向に延設された脱穀フレーム６ａの前面側にボルト固定可能に構成され、前記入力軸４２と出力軸４３を軸支するとともに、該入力軸４２及び出力軸４３の全体を収容する箱状に形成されたケース体６０がボルト固定されている。
【００４７】
該構成によれば、該取付ブラケット４８は、強固に形成された前記脱穀フレーム６ａ側に固定されており、該取付ブラケット４８により支持される正逆転切換装置２０をより強固且つ安定的に取付けることができる。
【００４８】
ちなみに、前記刈取部３（フィーダ８）は、前記刈取入力軸４１を軸に前記脱穀フレーム６ａ側に上下揺動可能に支持されており、該刈取部３は、前記フィーダ取付ブラケット９ａを取外すことによって前記脱穀装置６側から取外すことができるように構成されている。
【００４９】
また、該取付ブラケット４８によれば、図２に示されるように、前記正逆転切換装置２０（前記ケース体６０）を、前記脱穀装置６の前端側で且つ前記フィーダ８の左右側方側に形成された空きスペース上に配置することができるため、該正逆転切換装置２０が平面視で走行機体全体の左右外側に突出させずにスペース効率良く設けることができる。
【００５０】
前記カバー体４９は、前記フィーダ８の揺動軸（刈取伝動軸３８）の左右外側に取付けられる前記正逆転切換装置２０（ケース体６０）の左右外側全体をカバーすることができるように取付けられる（図１参照）。これにより、前記フィーダ８の左右側方側に後付けされた前記正逆転切換装置２０が目立たたなくなるとともに、前記出力軸４３と、前記刈取入力軸４１に設けたスプロケットによって掛け回される前記伝動チェーン４４が走行機体２の側方に露出しなくなるため、安全性が向上する。
【００５１】
上述の構成によれば、前記正逆転切換装置２０は、前記フィーダ８の側方側に表れる前記刈取伝動軸３８の左右外側端部に設けられることにより、該正逆転切換装置２０の組付作業やメンテナンス作業を容易に行うことができる。具体的には、該正逆転切換装置２０は、前記脱穀装置６の前方且つ前記フィーダ８の外方側に形成される平面視切欠き状に形成されるスペースに配置されている。言い換えると、該正逆転切換装置２０は、下降状態の前記フィーダ８と側面視でラップするように設けられている。
【００５２】
また、該正逆転切換装置２０は、走行機体側に軸支される前記刈取伝動軸３８側に装着されるため、該走行機体前部の前記刈取部３の着脱作業を、該正逆転切換装置２０を取付けた状態で行うことができる。このため、刈取部３等のメンテナンス作業もスムーズに行うことができる。
【００５３】
また、前記正逆転切換装置２０は、前記出力軸４３側の逆転出力ギヤ５２に、前記入力軸４２側の前記逆転入力ギヤ５１よりも径が大きい減速ギヤを用いている。すなわち、該正逆転切換装置２０は、前記刈取入力軸４１に逆転動力を伝動する場合には、前記逆転出力ギヤ５２（減速ギヤ）を介して、減速された逆転動力が前記刈取入力軸４１側にギヤ伝動されるように構成されている。
【００５４】
これにより、前記刈取部３は、前記正逆転切換装置２０によって前記逆転駆動状態に切換えることにより、該刈取部３を正転駆動状態の場合と比較して低速且つ高トルクな状態で逆転駆動させることができる。すなわち、前記刈取部３内に詰まった作物等を刈取部３内側から効率良く取出すことができる。
【００５５】
また、前記正逆転切換装置２０は、前記刈取伝動軸３８の左右外側に連結される入力軸４２の前側近傍に前記出力軸４３が配置されるとともに、該出力軸４３は、前記刈取入力軸４１の下方前側に配置されている。これにより、該正逆転切換装置２０は、前記入力軸４２（刈取伝動軸３８）側から前記出力軸４３を介して前記刈取入力軸４１へ動力が伝動する伝動経路が側面視で三角形状に形成されている。
【００５６】
該構成により、上下方向の前記伝動チェーン４４を掛け回す前記出力軸４３と、前記刈取入力軸４１との間に、該伝動チェーン４４の張力を保持するテンション付与部材５５（図示する例では板バネ）を設けるスペースを十分に確保しつつ、前記正逆転切換装置２０全体の構成はコンパクトに構成することができるものである（図５及び図７（Ａ）参照）。
【符号の説明】
【００５７】
２    走行機体
３    刈取部
１０    エンジン
２０    正逆転切換装置
３８    刈取伝動軸
４１    刈取入力軸
４３    出力軸
７１    切換レバー（操作レバー）
【図１】
2020092610.tif 000003
【図２】
2020092610.tif 000004
【図３】
2020092610.tif 000005
【図４】
2020092610.tif 000006
【図５】
2020092610.tif 000007
【図６】
2020092610.tif 000008
【図７】
2020092610.tif 000009